(57)【要約】【課題】  溶着用突起がねじ孔の直径方向に張り出したナットを確実に排除できるプロジェクションナットの通路部材およびパーツフィーダを提供する。【解決手段】  通路が少なくとも底面６と両側に起立している横内面７から形成され、底面６に正規寸法以下の過小プロジェクションナット１を転落させる排出口８が形成され、片側が低くなるように底面６が傾斜させてあり、この傾斜の低い側における横内面７と底面６との交叉部位に、本体部２からねじ孔３の直径方向に張り出している溶着用突起４の通過凹部１７が通路の長手方向に沿って形成されている。【選択図】図１
2010024049.tif 000002
【特許請求の範囲】
【請求項１】
溶着用突起が設けられたプロジェクションナットを通過させるものであって、通路の内面が少なくとも底面とこの底面の両側に起立している横内面から形成され、前記底面に正規寸法以下の過小プロジェクションナットを転落させる幅寸法とされた排出口が形成され、この排出口の両側に正常サイズのプロジェクションナットを滑動させるためのガイド面が設けられ、通路の幅方向で見て底面の片側が低くなるように底面が傾斜させてあり、この傾斜の低い側における横内面と底面との交叉部位に、本体部からねじ孔の直径方向に張り出している溶着用突起の通過凹部が通路の長手方向に沿って形成されていることを特徴とするプロジェクションナットの通路部材。
【請求項２】
プロジェクションナットを貯留している円形のボウルの内周に沿って送出通路が形成され、このボウルに送出振動を付与して送出する形式のものであって、請求項１記載の通路部材が前記送出通路の一部を構成しているパーツフィーダ。
【請求項３】
溶着用突起がねじ孔の軸線方向にだけ突出したプロジェクションナットを送出するものである請求項２記載のパーツフィーダ。
【発明の詳細な説明】
【技術分野】
【０００１】  この発明は、プロジェクションナットの通路部材およびパーツフィーダに関している。
【背景技術】
【０００２】  パーツフィーダの送出通路に通路部材が組み込まれ、この通路部材に正規寸法以下の過小プロジェクションナットを転落させる排出口が形成されたものが知られている。そして、この通路部材の断面形状は上方に開放したコ字型であり、排出口が形成された底面とこの底面の両側に起立している横内面を有している。前記排出口の両側には、正常サイズのプロジェクションナットを通過させるガイド面が形成されている。
【特許文献１】特開２００８−０９４６１７
【発明の開示】
【発明が解決しようとする課題】
【０００３】  図５に示した鉄製のプロジェクションナット１は、四角い本体部２の中央にねじ孔３が設けられ、本体部２の片側の四隅に溶着用突起４が形成されている。そして、これらの溶着用突起４は、ねじ孔３の軸線方向に突出しているとともに直径方向に張り出した形状とされている。この直径方向の張り出し寸法が符号Ｌで示されている。本明細書の説明において、このような形状のプロジェクションナット１を「張り出し型」と表現する。また、プロジェクションナットを単にナットと表現する場合もある。【０００４】  一方、図６に示した鉄製のナット１は、溶着用突起４の形状だけが図５のものと異なっている。この溶着用突起４はねじ孔３の軸線方向にだけ突出しており、ねじ孔３の直径方向には張り出していないタイプである。本明細書の説明において、このような形状のナット１を「非張り出し型」と表現する。【０００５】  図５および図６に示した上記ナット１の各部の寸法は、縦横寸法が１２ｍｍ、厚さが６ｍｍ、ねじ孔内径が６ｍｍ、張り出し寸法Ｌが１ｍｍである。【０００６】  図４は、通路部材５の断面形状を示すものであり、その平面形状は図１（Ａ）に示すような細長い部材である。通路部材５の内面は少なくとも底面６とこの底面６の両側に起立している横内面７から形成され、前記底面６に正規寸法以下の過小プロジェクションナットを転落させる幅寸法Ｗとされた排出口８が形成されている。この排出口８はナット１の移送方向に延びた細長い長孔形状とされている。この排出口８の両側に正常サイズのナット１を滑動させるためのガイド面９が設けられ、通路の幅方向で見て底面６の片側が低くなるように通路部材５が傾斜させてある。この傾斜角度は水平面に対する傾斜角度であり、θで示されている。【０００７】  図４（Ａ）は、正規寸法の非張り出し型のナット１が通路部材５を通過している状態を示している。したがって、左右の溶着用突起４はいずれもガイド面９上を活動し、排出口８から転落することはない。そして、正規寸法以下の非張り出し型のナット１が移送されてきた場合には、右側の溶着用突起４がガイド面９から外れて排出口８側に位置するため、ナット１は時計方向に回動するような状態で排出口８から転落して排除される。【０００８】  図４（Ａ）に示した非張り出し型ナット１と同じ寸法の本体部２を有する張り出し型ナット１が図４（Ｂ）に示すように移動してくると、溶着用突起４は両側のガイド面９上を滑動して通過する。【０００９】  ところで、通路部材５が非張り出し型ナット專用として使用されている場合には、図４（Ｂ）に示すように、張り出し型ナットが通過しても排除できないという問題がある。このような問題は、張り出し型ナットの溶着用突起間距離が丁度排出口８を跨いでしまうことによって生じてしまう。換言すると、溶着用突起間距離が両ガイド面間距離に合致している場合に発生する。とくに、両ナットの本体部２のサイズが同じか近似しているときには、床に落ちたりしている張り出し型ナットを作業者が見誤って拾い、それを非張り出し型ナットに混入する虞がある。このように非張り出し型ナット專用の通路部材５に張り出し型ナット１が移送されてきた場合には、排除機能が果たされないこととなる。��００１０】  本発明は、上記の問題点を解決するために提供されたもので、溶着用突起がねじ孔の直径方向に張り出したナットを確実に排除できるプロジェクションナットの通路部材およびパーツフィーダの提供を目的とする。【００１１】  上述の課題説明における構成の説明は、本願発明の実施例の説明にそのまま共通しているので、張り出し型ナットや非張り出し型ナット等の用語が［発明の効果］の欄において使用されている。
【問題を解決するための手段】
【００１２】  請求項１記載の発明は、溶着用突起が設けられたプロジェクションナットを通過させるものであって、通路の内面が少なくとも底面とこの底面の両側に起立している横内面から形成され、前記底面に正規寸法以下の過小プロジェクションナットを転落させる幅寸法とされた排出口が形成され、この排出口の両側に正常サイズのプロジェクションナットを滑動させるためのガイド面が設けられ、通路の幅方向で見て底面の片側が低くなるように底面が傾斜させてあり、この傾斜の低い側における横内面と底面との交叉部位に、本体部からねじ孔の直径方向に張り出している溶着用突起の通過凹部が通路の長手方向に沿って形成されていることを特徴とするプロジェクションナットの通路部材である。
【発明の効果】
【００１３】  上述のように、前記傾斜の低い側における横内面と底面との交叉部位に、本体部からねじ孔の直径方向に張り出している溶着用突起の通過凹部が通路の長手方向に沿って形成されている。したがって、張り出し型ナットの溶着用突起はその張り出し寸法分が通過凹部に入り込んだ状態で通過する。したがって、張り出し型ナットは必ず通過凹部に入り込んだ分だけ傾斜の低い側にずれた状態になり、このずれ量を大きくすることが可能となり、張り出し型ナットを確実に排除することができる。
【００１４】  通路部材が非張り出し型ナット専用のものである場合、張り出し型ナットが混入していても前記通過凹部の機能によって、張り出し型ナットを確実に排除することができる。とくに、両ナットの本体部のサイズが同じか近似しているときには、作業者が見誤って張り出し型ナットを非張り出し型ナットに混入する虞がある。もし間違って張り出し型ナットが送出されたときには、電気抵抗溶接機において正常な溶接がなされないという問題が発生するのであるが、本通路部材の選別機能によってこのような問題が回避される。
【００１５】  請求項２記載の発明は、プロジェクションナットを貯留している円形のボウルの内周に沿って送出通路が形成され、このボウルに送出振動を付与して送出する形式のものであって、請求項１記載の通路部材が前記送出通路の一部を構成しているパーツフィーダである。
【００１６】  したがって、送出通路を移送されてきた正規寸法以下の張り出し型ナットが通路部材において確実に排除され、過小サイズの張り出し型ナットが目的箇所へ供給されることが防止できる。また、このパーツフィーダが非張り出し型ナット専用のものである場合、混入した張り出し型ナットを正確に排除することができる。
【００１７】  請求項３記載の発明は、溶着用突起がねじ孔の軸線方向にだけ突出したプロジェクションナットを送出するものである請求項２記載のパーツフィーダである。
【００１８】  これは、いわゆる非張り出し型ナット専用のパーツフィーダであり、そこに張り出し型ナットが何等かの原因で混入しても、上述のようにして確実に排除される。
【発明を実施するための最良の形態】
【００１９】  つぎに、本発明のプロジェクションナットの通路部材およびパーツフィーダを実施するための最良の形態を説明する。
【実施例１】
【００２０】  この実施例の構造の一部は、先に図４、図５および図６にしたがって説明したものと同じなので、同じ構造についての詳細な説明は省略し、同じ符号が実施例図面に記載してある。【００２１】  まず、パーツフィーダについて説明する。【００２２】  この実施例で扱われるプロジェクションナット１は、図５および図６で説明したものと同じである。そして、この実施例における通路部材５は、図１（Ａ）に示すように、平面形状が円弧型であり、円形ボウル型のパーツフィーダに組み込まれている。パーツフィーダに組み込まないで、通常のナット通路の一部を本通路部材で構成するようにすることも可能である。【００２３】  図３（Ａ）はパーツフィーダ１３の平面図であり、そのＢ−Ｂ断面図が（Ｂ）図である。円形のボウル１２の内周に沿って螺旋型の送出通路１３が形成され、そこに通路部材５と表裏選別部１４が組み込まれている。この表裏選別部１４に連続させて送出管１５が接合され、それに合成樹脂製の供給ホース１６が接続されている。図示していないが、ボウル１２には円周方向と上下方向の合成振動が付与され、これによってナット１が送出通路１３上を移送されるようになっている。【００２４】  つぎに、通路部材について説明する。【００２５】  ここでの通路部材５は、パーツフィーダ１１の送出通路１３に組み込まれるものなので、その平面形状は図１（Ａ）に示すように、円弧型である。したがって、排出口８も同様な円弧型の長孔とされている。なお、通路部材５は送出通路１３と滑らかに連続しているもので、溶接後、ナットの滑動面を滑らかに仕上げてある。【００２６】  前記傾斜の低い側における横内面７と底面６との交叉部位に、本体部２からねじ孔３の直径方向に張り出している溶着用突起４の通過凹部１７が、通路部材５の長手方向に沿って形成されている。すなわち、通過凹部１７は通路部材５の幅方向に拡張された円弧状の溝として存在している。そして、図２（Ｂ）に示すように、この通過凹部１７の溝底面１８と前記底面６およびガイド面９は一仮想平面上に配置してある。したがって、張り出した溶着用突起４がガイド面９から溝底面１８に滑り込むようにして通過凹部１７内に進入することができるのである。【００２７】  図１（Ｂ）は同図（Ａ）のＢ−Ｂ断面図であり、ここに示されている張り出し型ナット１は正規寸法である。したがって、片側の溶着用突起４が通過凹部１７に入り込んでも、反対側の溶着用突起４はガイド面９上に載っていて排出口８から転落することがない。【００２８】  図１（Ｃ）および（Ｄ）に示されている張り出し型ナット１は正規寸法以下の異常サイズである。同図（Ｃ）の段階では通過凹部１７にさしかかっていないので、排出口８から転落しない。その後、通過凹部１７にさしかかると、溶着用突起４が通過凹部１７内に進入し、前記張り出し寸法Ｌに相当する寸法だけナット１が片寄ることになり、反対側の溶着用突起４が同図（Ｄ）に示すように、排出口８から転落する。この転落した張り出し型ナット１は、図３（Ｂ）に示すように、受け箱１９に収容される。【００２９】  図２（Ａ）には、非張り出し型ナットと張り出し型ナットとの比較が図示されている。同図から明らかなように、通過凹���１７が形成されていなければ、非張り出し型ナットと張り出し型ナットの両方が通過するが、通過凹部１７が形成されているので、張り出し型ナット１の溶着用突起４は通過凹部１７内にずれ込み、それによって反対側の溶着用突起４が排出口８から回動するようにして転落してゆく。したがって、非張り出し型ナット専用の通路部材５であっても、そこに張り出し型ナット１が混入していると、確実に排除される。【００３０】  したがって、図４に示したように本体部２が同じ寸法であっても、通過凹部１７を設けることによって、張り出し型ナット１だけを排出口８から転落させることができるのである。【００３１】  前記パーツフィーダはボウルを振動させる形式のものであるが、これを回転板に磁石で部品を吸着して送出管から送り出す形式のものを採用してもよい。上述のパーツフィーダは、ボウルを振動させる形式であるが、これに換えて、起立した回転式円板に磁石を組み付け、この円板の回転によって吸着された部品を送出通路に導く形式のものとすることができる。【００３２】  供給ホースを構成する合成樹脂は、ウレタン樹脂やポリプロピレン樹脂によって製作されている。【００３３】  以上に説明した実施例１の作用効果は、つぎのとおりである。【００３４】  上述のように、前記傾斜の低い側における横内面７と底面６との交叉部位に、本体部２からねじ孔３の直径方向に張り出している溶着用突起４の通過凹部１７が通路部材５の長手方向に沿って形成されている。したがって、張り出し型ナット１の溶着用突起４はその張り出し寸法Ｌ分が通過凹部１７に入り込んだ状態で通過する。したがって、張り出し型ナット１は必ず通過凹部１７に入り込んだ分だけ傾斜の低い側にずれた状態になり、このずれ量を大きくすることが可能となり、張り出し型ナット１を排出口８から確実に排除することができる。【００３５】  通路部材５が非張り出し型ナット１専用のものである場合、張り出し型ナット１が混入していても前記通過凹部１７の機能によって、張り出し型ナット１を確実に排除することができる。とくに、両ナットの本体部２のサイズが同じか近似しているときには、作業者が見誤って張り出し型ナット１を非張り出し型ナット１に混入する虞がある。もし間違って張り出し型ナット１が送出されたときには、電気抵抗溶接機において正常な溶接がなされないという問題が発生するのであるが、本通路部材５の選別機能によってこのような問題が回避される。【００３６】  プロジェクションナット１を貯留している円形のボウル１２の内周に沿って送出通路１３が形成され、このボウル１２に送出振動を付与して送出する形式のものであって、前記通路部材５が前記送出通路１３の一部を構成しているパーツフィーダである。【００３７】  したがって、送出通路１３を移送されてきた正規寸法以下の張り出し型ナット１が通路部材５において確実に排除され、過小サイズの張り出し型ナット１が目的箇所へ供給されることが防止できる。また、このパーツフィーダ１１が非張り出し型ナット専用のものである場合、混入した張り出し型ナット１を正確に排除することができる。【００３８】  溶着用突起４がねじ孔３の軸線方向にだけ突出したプロジェクションナットを送出するもの���あるパーツフィーダ１１である。【００３９】  これは、いわゆる非張り出し型ナット専用のパーツフィーダであり、そこに張り出し型ナットが何等かの原因で混入しても、上述のようにして確実に排除される。
【産業上の利用可能性】
【００４０】  上述のように、本発明によれば、溶着用突起がねじ孔の直径方向に張り出したナットを確実に排除できるプロジェクションナットの通路部材およびパーツフィーダでるから、自動車の車体溶接工程や、家庭電化製品の板金溶接工程などの広い産業分野で利用できる。
【図面の簡単な説明】
【００４１】
【図１】通路部材の平面図と各部の断面図である。
【図２】通路部材の断面図である。
【図３】パーツフィーダの平面図と断面図である。
【図４】通路部材の断面図である。
【図５】プロジェクションナットの斜視図と平面図である。
【図６】他のプロジェクションナットの斜視図と平面図である。
【符号の説明】
【００４２】  １    プロジェクションナット
２    本体部
３    ねじ孔
４    溶着用突起
５    通路部材
６    底面
７    横内面
８    排出口
９    ガイド面
１１    パーツフィーダ
１２    ボウル
１３    送出通路
１７    通過凹部
１８    溝底面
【図１】
2010024049.tif 000003
【図２】
2010024049.tif 000004
【図４】
2010024049.tif 000005
【図３】
2010024049.tif 000006
【図５】
2010024049.tif 000007
【図６】
2010024049.tif 000008